(57)【要約】【課題】直列接続数の多い多直列蓄電セルにおいて、組立てや交換等の作業性を向上させながら、全セルの電圧バランス補正を迅速かつ円滑に行わせる。【解決手段】多直列蓄電セル（Ｂ１〜Ｂｎ）を接続順で連続する複数の直列セルグループ（Ｇ１，Ｇ２，・・・）に分け、各セルグループ内にてそれぞれ隣接セル間での電圧バランス補正を行うセル間電圧バランス補正回路３１を設けるとともに、各セルグループの直列電圧をトランス・コイル（Ｌ１，Ｌ２，・・・）とスイッチング回路Ｓｃを用いて形成される交流結合によってバランス補正させるグループ間電圧バランス補正回路３２を設ける。【選択図】図１
2008035680.tif 000002
【特許請求の範囲】
【請求項１】
多数の蓄電セルが直列接続されるとともに各セルの電圧を均等化させる電圧バランス補正回路を備えた多直列蓄電セルであって、上記多直列蓄電セルを接続順で連続する複数の直列セルグループに分け、各セルグループ内にてそれぞれ隣接セル間での電圧バランス補正を行うセル間電圧バランス補正回路を設けるとともに、各セルグループの直列電圧をトランス・コイルとスイッチング回路を用いて形成される交流結合によってバランス補正させるグループ間電圧バランス補正回路を設けたことを特徴とする多直列蓄電セル。
【請求項２】
請求項１において、セル間電圧バランス補正回路は、隣接する第１のセルと第２のセルの間でインダクタ電流の充電と放電を行わせることにより両セル間で電圧バランス補正を行うことを特徴とする多直列蓄電セル。
【請求項３】
請求項２において、セル間電圧バランス補正回路は、第１のセルと第２のセルに交互に接続されてインダクタ電流の充電および放電を行うインダクタを用いて構成されていることを特徴とする多直列蓄電セル。
【請求項４】
請求項２において、セル間電圧バランス補正回路は、第１のセルによって充電されたインダクタ電流を第２のセルの充電経路で放電する第１のインダクタと、第２のセルによって充電されたインダクタ電流を第１のセルの充電経路で放電する第２のインダクタと、上記第１および第２のインダクタの充電および放電の切換を行うスイッチング回路とを用いて構成されていることを特徴とする多直列蓄電セル。
【請求項５】
請求項２〜４のいずれかにおいて、セル間電圧バランス補正回路を構成するインダクタがセルグループ内に複数設置されているとともに、各インダクタが互いに磁気結合されていることを特徴とする多直列蓄電セル。
【請求項６】
請求項１〜５のいずれかにおいて、グループ間電圧バランス補正回路は、互いに１対１の変圧比で磁気結合する複数のトランス・コイルを用いて構成されていることを特徴とする多直列蓄電セル。
【請求項７】
請求項１〜６のいずれかにおいて、グループ間電圧バランス補正回路は、全セルグループの直列端にスイッチング回路を介して接続する一次コイルと、各セルグループの直列端にそれぞれスイッチング回路を介して接続する二次コイルとを備えたトランスを用いて構成されていることを特徴とする多直列蓄電セル。
【発明の詳細な説明】
【技術分野】
【０００１】
本発明は、多数の蓄電セルが直列接続されるとともに各セルの電圧を均等化させる電圧バランス補正回路を備えた多直列蓄電セルに関する。
【背景技術】
【０００２】
キャパシタや二次電池などの蓄電セルは多数を直列に接続して使用する場合が多い。この場合、セル間に電圧バラツキが生じると、特定のセルに電圧が集中することによりセルの寿命が短くなってしまうという問題が生じる。この問題は直列接続数が多いほど顕著になる。したがって、蓄電セルの直列接続使用では、各セルの電圧を互いにバランス補正（均等化）する必要がある。
【０００３】
この電圧バランス補正を行わせる回路としては、図７に例示するインダクタ結合方式と、図８に例示するトランス結合方式とが知られている（たとえば特許文献１〜３参照）。
【０００４】
インダクタ結合方式の電圧バランス補正回路は、図７に示すように、インダクタＬｃとスイッチング素子Ｓａ，Ｓｂを用いて各セル１１の電圧を相互にバランスさせる。すなわち、隣接するＢ１とＢ２、Ｂ２とＢ３、・・・、Ｂｎ−１とＢｎの間でインダクタ電流の充電と放電を行わせることにより、両セル間の電圧を同電圧にバランス補正させる。
【０００５】
このため、各セル１１の間にはそれぞれインダクタＬｃが設置される。これとともに、各インダクタＬｃをそれぞれ第１のセルと第２のセルに交互に接続させるスイッチング回路Ｓａ，Ｓｂが設置される。
【０００６】
トランス結合方式の電圧バランス補正回路は、図８に示すように、相互に１対１の変圧比をなす複数のトランス・コイルＬ１〜Ｌｎおよび互いに同相でオン・オフ動作するスイッチング回路Ｓｃにより、各セル１１（Ｂ１〜Ｂｎ）を互いに交流結合（交流的に結合）させる。これにより、各セル１１（Ｂ１〜Ｂｎ）の電圧が同電圧にバランス補正される。
【０００７】
上記のようにして各セルの電圧バランス補正が行われる多直列蓄電セルは、その全セル（Ｂ１〜Ｂｎ）の直列端Ｐ１，Ｐ２が、たとえば電気自動車の動力となる電動機等の発電／負荷装置１００に接続されて使用される。
【特許文献１】特開２００１−１８５２２９
【特許文献２】特開２００６−６７７４２
【特許文献３】特開２００４−２０１３６１（段落００４６）
【発明の開示】
【発明が解決しようとする課題】
【０００８】
上述した従来の多直列蓄電セルは直列接続数がそれほど多くない場合には有効であるが、直列接続数が多くなると次のような問題が顕在化してくる。
【０００９】
たとえば、電気自動車の動力電源あるいや負荷平準化用の蓄電システムなどでは、数十〜数百の蓄電セルを直列接続して使用する場合が多い。この場合も、各セル電圧のバランス補正を行わせる必要がある。
【００１０】
直列接続数が多い場合、図７に示したインダクタ結合方式の電圧バランス補正回路では、隣接するセル間でのバランス補正は迅速かつ円滑に行わせることができるが、全セルに対するバランス補正が完了するまでには時間がかかる。これは、隣接セル間で局所的に行われたバランス補正の効果が１セルずつ順次伝達されて全セル（Ｂ１〜Ｂｎ）に及ぶのを待たなければならないことによる。
【００１１】
一方、図８に示したトランス結合方式の電圧バランス補正回路では、全セル（Ｂ１〜Ｂｎ）を１対１の変圧比のトランス・コイル（Ｌ１〜Ｌｎ）を介して互いに交流結合させることにより、全セルに対するバランス補正を一斉に行わせることができる。
【００１２】
しかし、トランスＴ１のコイル数には限りがあり、同一磁心２１に巻回可能なコイル数は十ないし数十程度が限界である。このため、トランス結合方式の電圧バランス補正回路は、たとえば直列接続数が１００を越えるような多直列蓄電セルには適用できない。
【００１３】
また、蓄電セルの直列接続数が多くなると、トランスＴ１とセル列（Ｂ１〜Ｂｎ）間の配線数が多くなって、多直列蓄電セルの組立てや交換等の作業性が著しく阻害されるという問題が生じる。
【００１４】
本発明は、以上のような技術背景を鑑みたものであって、その目的は、直列接続数の多い多直列蓄電セルにおいて、組立てや交換等の作業性を向上させながら、全セルの電圧バランス補正を迅速かつ円滑に行わせることを可能にした多直列蓄電セルを提供することにある。
【００１５】
本発明の上記以外の目的および構成については、本明細書の記述および添付図面からあきらかにする。
【課題を解決するための手段】
【００１６】
本発明が提供する解決手段は以下のとおりである。
【００１７】
（１）多数の蓄電セルが直列接続されるとともに各セルの電圧を均等化させる電圧バランス補正回路を備えた多直列蓄電セルであって、上記多直列蓄電セルを接続順で連続する複数の直列セルグループに分け、各セルグループ内にてそれぞれ隣接セル間での電圧バランス補正を行うセル間電圧バランス補正回路を設けるとともに、各セルグループの直列電圧をトランス・コイルとスイッチング回路を用いて形成される交流結合によってバランス補正させるグループ間電圧バランス補正回路を設けたことを特徴とする多直列蓄電セル。
【００１８】
（２）上記手段（１）において、セル間電圧バランス補正回路は、隣接する第１のセルと第２のセルの間でインダクタ電流の充電と放電を行わせることにより両セル間で電圧バランス補正を行うことを特徴とする多直列蓄電セル。
【００１９】
（３）上記手段（２）において、セル間電圧バランス補正回路は、第１のセルと第２のセルに交互に接続されてインダクタ電流の充電および放電を行うインダクタを用いて構成されていることを特徴とする多直列蓄電セル。
【００２０】
（４）上記手段（２）において、セル間電圧バランス補正回路は、第１のセルによって充電されたインダクタ電流を第２のセルの充電経路で放電する第１のインダクタと、第２のセルによって充電されたインダクタ電流を第１のセルの充電経路で放電する第２のインダクタと、上記第１および第２のインダクタの充電および放電の切換を行うスイッチング回路とを用いて構成されていることを特徴とする多直列蓄電セル。
【００２１】
（５）上記手段（２）〜（４）のいずれかにおいて、セル間電圧バランス補正回路を構成するインダクタがセルグループ内に複数設置されているとともに、各インダクタが互いに磁気結合されていることを特徴とする多直列蓄電セル。
【００２２】
（６）上記手段（１）〜（５）のいずれかにおいて、グループ間電圧バランス補正回路は、互いに１対１の変圧比で磁気結合する複数のトランス・コイルを用いて構成されていることを特徴とする多直列蓄電セル。
【００２３】
（７）上記手段（１）〜（６）のいずれかにおいて、グループ間電圧バランス補正回路は、全セルグループの直列端にスイッチング回路を介して接続する一次コイルと、各セルグループの直列端にそれぞれスイッチング回路を介して接続する二次コイルとを備えたトランスを用いて構成されていることを特徴とする多直列蓄電セル。
【発明の効果】
【００２４】
直列接続数の多い多直列蓄電セルにおいて、組立てや交換等の作業性を向上させながら、全セルの電圧バランス補正を迅速かつ円滑に行わせることを可能にした多直列蓄電セルを提供することができる。
【００２５】
上記以外の作用／効果については、本明細書の記述および添付図面からあきらかにする。
【発明を実施するための最良の形態】
【００２６】
図１は、本発明による多直列蓄電セルの第１実施形態を示す。図同に示す多直列蓄電セルは多数（ｎ）の蓄電セル１１（Ｂ１〜Ｂｎ）を直列接続したものであって、その直列端Ｐ１，Ｐ２が電気自動車の動力となる電動機等の発電／負荷装置１００に接続されて充放電使用されるようになっている。
【００２７】
同図において、直列接続されたｎ個の蓄電セルＢ１〜Ｂｎは、接続順で連続する２つのセル（Ｂ１とＢ２，Ｂ３とＢ４，・・・，Ｂｎ−１とＢｎ）からなるセルグループ（Ｇ１，Ｇ２，Ｇ３，・・・，Ｇｍ）に分けられ、各セルグループ（Ｇ１，Ｇ２，Ｇ３，・・・，Ｇｍ）内にはそれぞれ、隣接セル間での電圧バランス補正を行うセル間電圧バランス補正回路３１が設けられている。
【００２８】
セル間電圧バランス補正回路３１は、インダクタＬｃとスイッチング回路Ｓａ，Ｓｂを用いて構成されるインダクタ結合方式の電圧バランス補正回路であって、隣接する第１のセル（Ｂ１，Ｂ３，・・・，Ｂｎ−１）と第２のセル（Ｂ２，Ｂ４，・・・，Ｂｎ）の間でインダクタ電流の充電と放電を行わせることにより、両セル間で電圧バランス補正を行う。
【００２９】
スイッチング回路Ｓａ，ＳｂはＭＯＳ−ＦＥＴを用いて構成され、図示を省略する制御回路から与えられる２相パルス信号により、交互にオン・オフ動作させられる。一方のスイッチング回路Ｓａがオンのときは、第１のセル（Ｂ１，Ｂ３，・・・，Ｂｎ−１）からインダクタＬｃにインダクタ電流が充電される。このとき、他方のスイッチング回路Ｓｂはオフされている。
【００３０】
一方のスイッチング回路Ｓａがオンからオフに切り換えられると、Ｌｃに充電されたインダクタ電流は、他方のスイッチング回路Ｓｂを通して第２のセル（Ｂ２，Ｂ４，・・・，Ｂｎ）を充電しながら放電されるようになる。
【００３１】
ここで、セルＢ１とＢ２に着目し、Ｂ１の電圧がＢ２よりも高い場合は、Ｂ１によってインダクタＬｃに充電されたインダクタ電流がＢ２の充電経路で放電させられることにより、両セルＢ１，Ｂ２間の電圧が均等化される。反対に、Ｂ１の電圧がＢ２よりも低い場合は、Ｂ２によってインダクタＬｃに充電されたインダクタ電流がＢ１の充電経路で放電させられることにより、両セルＢ１，Ｂ２間の電圧が均等化される。
【００３２】
つまり、隣接する２つのセルＢ１，Ｂ２間に電圧差があると、電圧が高い方のセルから低い方のセルに対して、インダクタンスＬｃを介して電気エネルギーの移転が行われることにより、両セルＢ１，Ｂ２の電圧が均等化される。このバランス補正動作は、各セルグループ（Ｇ１，Ｇ２，Ｇ３，・・・，Ｇｍ）内にてそれぞれ独立して行われる。
【００３３】
各スイッチング回路Ｓａ，Ｓｂにはそれぞれダイオードが並列に接続されているが、このダイオードはＭＯＳ−ＦＥＴのソース・ドレイン間に等価的に形成される寄生ダイオード（ボデーダイオード）によって形成されている。このダイオードはセル１１の電圧に対しては逆方向となるが、インダクタ電流に対しては順方向となることにより、次のような効果をもたらす。
【００３４】
すなわち、スイッチング回路Ｓａ，Ｓｂが共にオフとなった期間にインダクタ電流が残留していた場合、その残留インダクタ電流はダイオードを通して流れ続けることができる。これにより、インダクタＬｃにいったん生じたインダクタ電流を電圧バランス補正動作に無駄なく利用できるとともに、そのインダクタ電流を遮断した場合に生じるサージ電圧の発生を確実に抑えることができる。
【００３５】
図１に示す多直列蓄電セルには、上記セル間電圧バランス補正回路３１に加えて、各セルグループ（Ｇ１，Ｇ２，Ｇ３，・・・，Ｇｍ）の直列電圧をバランス補正させるグループ間電圧バランス補正回路３２が設置されている。
【００３６】
このグループ間電圧バランス補正回路３２は、トランスＴ１を用いたトランス結合方式の電圧バランス補正回路であって、同一磁心２１に同一巻数で巻回されて相互に１対１の変圧比をなす複数のトランス・コイル（Ｌ１〜Ｌｍ）と、互いに同相でオン・オフ動作させられるスイッチング回路Ｓｃを用いて構成されている。
【００３７】
各トランス・コイル（Ｌ１〜Ｌｍ）はそれぞれセルグループ（Ｇ１，Ｇ２，Ｇ３，・・・，Ｇｍ）の直列端に接続されている。スイッチング回路ＳｃはＭＯＳ−ＦＥＴを用いて構成され、図示を省略する制御回路から与えられる一定周期のパルス信号（クロック信号）により、互いに同相でオン・オフ動作する。
【００３８】
このスイッチング回路Ｓｃにより、各セルグループ（Ｇ１，Ｇ２，Ｇ３，・・・，Ｇｍ）が互いに１対１の変圧比で交流結合される。これにより、各セルグループ（Ｇ１，Ｇ２，Ｇ３，・・・，Ｇｍ）の直列電圧が同電圧となるようなバランス補正が行われる。
【００３９】
上述した多直列蓄電セルでは、セル（Ｂ１とＢ２，Ｂ３とＢ４，・・・，Ｂｎ−１とＢｎ）をグループ化して、そのグループ（Ｇ１，Ｇ２，Ｇ３，・・・，Ｇｍ）内でそれぞれにインダクタ結合方式による隣接セルの電圧補正を行わせることにより、各セルグループ内での電圧バランス補正を迅速かつ円滑に行わせることができる。これと同時に、各セルグループ（Ｇ１，Ｇ２，Ｇ３，・・・，Ｇｍ）の直列電圧がトランス結合方式によってバランス補正されることにより、全セル（Ｂ１〜Ｂｎ）に対する電圧バランス補正を迅速かつ円滑に、しかも正確に行わせることができる。
【００４０】
さらに、図１に示した実施形態では、インダクタ結合方式によるバランス補正を行わせるためのインダクタＬｃとスイッチング回路Ｓａ，Ｓｂが、２つのセル１１に対して１組だけでよい。これにより、全セル（Ｂ１〜Ｂｎ）に対してインダクタ結合方式による電圧バランス補正を行う従来方式に比べて、インダクタＬｃおよびスイッチング回路Ｓａ，Ｓｂの部品数を大幅に低減させることができる。この部品数低減は、発熱量を低減させるとともに、セル（Ｂ１〜Ｂｎ）の実装密度（集合密度）を高める効果をもたらす。
【００４１】
また、トランス結合方式による電圧バランス補正回路３２は、トランス・コイル（Ｌ１〜Ｌｎ）とセルグループ（Ｇ１，Ｇ２，Ｇ３，・・・，Ｇｍ）間を接続する配線が必要になるが、この配線はセルグループ（Ｇ１，Ｇ２，Ｇ３，・・・，Ｇｍ）の数に１本を加えた（ｍ＋１）本でだけ良く、全セル（Ｂ１〜Ｂｎ）に対してトランス結合方式による電圧バランス補正を行う従来方式に比べると、配線数が大幅に低減されている。
【００４２】
上記により、直列接続数の多い多直列蓄電セルにおいて、組立てや交換等の作業性を向上させながら、全セルの電圧バランス補正を迅速かつ円滑に行わせることが可能である。
【００４３】
図２は、上記セルグループ（Ｇ１，Ｇ２，Ｇ３，・・・，Ｇｍ）の配線状態を実状態に近づけて示した回路図であるが、同図に示すように、各セルグループ（Ｇ１，Ｇ２，Ｇ３，・・・，Ｇｍ）ではそれぞれ２つのセルがモジュール化されている。多直列蓄電セルの組立てやセル交換等の作業は、そのモジュールを単位とすることにより効率的に行うことができる。
【００４４】
図３は、インダクタ結合方式による電圧バランス補正回路３１の実施形態を示す。この方式の電圧バランス補正回路３１は、たとえば同図の（ａ）と（ｂ）に示すような構成が可能である。
【００４５】
同図（ａ）に示す電圧バランス補正回路３１は、図１または図２に示したセル間電圧バランス補正回路３１と原理を同じくするものであって、隣接する第１のセルＢ１と第２のセルＢ２の間で、インダクタＬｃに対するインダクタ電流の充放電を行わせることにより、両セルＢ１，Ｂ２間で電圧バランス補正を行う。
【００４６】
同図（ｂ）に示す電圧バランス補正回路３１は、第１のセルＢ１によって充電されたインダクタ電流を第２のセルＢ２の充電経路で放電する第１のインダクタＬｃ１と、第２のセルＢ２によって充電されたインダクタ電流を第１のセルＢ１の充電経路で放電する第２のインダクタＬｃ２と、上記第１および第２のインダクタＬｃ１，Ｌｃ２の充電および放電の切換を行うスイッチング回路Ｓａ，ＳｂおよびダイオードＤ１，Ｄ２を用いて構成されている。
【００４７】
この回路３１では、第１のスイッチング回路Ｓａがオンのときに、第１のセルＢ１から第１のインダクタＬｃ１にインダクタ電流が充電される。このインダクタ電流は、第１のスイッチング回路Ｓａがオフになったときに、ダイオードＤ１を経由して第２のセルＢ２の充電経路で放電される。
【００４８】
第１のスイッチング回路Ｓａがオフのときは、第２のスイッチング回路Ｓｂがオンになって、第２のセルＢ２から第２のインダクタＬｃ２にインダクタ電流が充電される。このインダクタ電流は、第２のスイッチング回路Ｓｂがオフになったときに、ダイオードＤ２を経由して第１のセルＢ１の充電経路で放電される。
【００４９】
上記のように、同図（ｂ）の電圧バランス補正回路３１では、インダクタ電流の充電および放電によるバランス補正動作が、第１および第２セルＢ１，Ｂ２の双方で同時並行的に行われる。これにより、両セルＢ１，Ｂ２間での電圧バランス補正をさらに迅速化させることができる。
【００５０】
図４は、トランス結合方式による電圧バランス補正回路３２の実施形態を示す。この電圧バランス補正回路は、たとえば同図の（ａ）と（ｂ）に示すような構成が可能である。
【００５１】
同図（ａ）に示す電圧バランス補正回路３２は、図１または図２に示したグループ間電圧バランス補正回路３２と原理を同じくするものであって、２つのセルグループＧ１、Ｇ２をそれぞれスイッチング回路Ｓｃを介してトランスＴ１のコイルＬ１，Ｌ２に接続することにより、２つのセルグループＧ１，Ｇ２を１対１の変圧比で交流結合させて電圧バランス補正を行う。
【００５２】
各セルグループＧ１，Ｇ２はそれぞれ、ｋ個の蓄電セル（Ｂ１〜Ｂｋ）が直列接続されてなるモジュールによって構成されている。各セルグループＧ１，Ｇ２内には、図示を省略するが、インダクタ結合方式によるセル間電圧バランス補正回路が設けられている。
【００５３】
同図（ｂ）に示す電圧バランス補正回路３２は、一次コイルＬｏと二次コイルＬ１，Ｌ２を有するトランスＴ１を使用する。一次コイルＬｏには、全セルグループ（Ｇ１，Ｇ２）の直列端（Ｐ１，Ｐ２）がスイッチング回路Ｓｃを介して接続されている。二次コイルＬ１，Ｌ２は各セルグループ（Ｇ１，Ｇ２）に整流および逆流防止用のダイオードＤ１，Ｄ２を介して接続される。
【００５４】
二次コイルＬ１，Ｌ２は互いに同じ巻数で同一磁心２１に巻回されている。一次コイルＬｏは、全セルの直列電圧でコア２１を励磁できるよう、Ｓｃオン時にＤ１、Ｄ２がオフとなる方向の巻極にしてある。Ｓｃがオンになると全セルの直列電圧がＬｏに加わり、コア２１を励磁する。次にＳｃがオフになると、二次巻線Ｌ１、Ｌ２は、この励磁電流を維持するよう、Ｄ１、Ｄ２を通して電流を流す。このとき、巻数当りの電圧の低い方に電流は集中して流れることから、セルグループ（Ｇ１、Ｇ２）間で電圧バランス補正が行われる。
【００５５】
一次コイルＬｏには、全セルの直列電圧がスイッチング回路Ｓｃでオン・オフされながら印加される。この印加電圧は、所定の分圧比で変圧されて二次コイルＬ１，Ｌ２に現れる。二次コイルＬ１，Ｌ２に現れる分圧電圧は、ダイオードＤ１，Ｄ２を介してセルグループ（Ｇ１，Ｇ２）に印加される。これにより、セルグループ（Ｇ１，Ｇ２）間での電圧バランス補正が行われる。
【００５６】
このグループ間電圧バランス補正回路３２は、全セルの直列電圧を各セルグループ（Ｇ１，Ｇ２）に一斉に再分配することによって電圧バランス補正を行うが、これにより、そのバランス補正動作を迅速化させることができる。
【００５７】
図５は、本発明による多直列蓄電セルの第２実施形態を示す。図同に示す多直列蓄電セルは、各セルグループ（Ｇ１，Ｇ２，・・・）内にそれぞれ４つの蓄電セル１１（Ｂ１〜Ｂ４，Ｂ５〜Ｂ８，・・・）が直列接続されている。つまり、４直列のセル（Ｂ１〜Ｂ４，Ｂ５〜Ｂ８，・・・）が単位となってセルグループ（Ｇ１，Ｇ２，・・・）のモジュールを構成している。
【００５８】
各セルグループ（Ｇ１，Ｇ２，・・・）内には、インダクタ結合方式によるセル間電圧バランス補正回路３１が設置されている。このセル間電圧バランス補正回路３１は、２つのインダクタＬｃ１，Ｌｃ２を用いている。両インダクタＬｃ１，Ｌｃ２は同一磁心２２に巻回されて互いに磁気結合している。すなわち、図６に示すように、インダクタＬｃ１，Ｌｃ２は１対１のトランスを形成する。これにより、セル間電圧バランス補正回路３１は、２つのインダクタＬｃ１，Ｌｃ２で４つのセル（Ｂ１〜Ｂ４，・・・）の電圧をバランス補正させることができる。
【００５９】
上記構成によれば、セルグループ（Ｇ１，Ｇ２，・・・）内の配線および部品数をさらに低減させることができる。また、各セルグループ（Ｇ１，Ｇ２，・・・）内の直列セル数が４個に増えたことにより、セルグループの数が大幅に低減されている。これにより、グループ間電圧バランス補正回路３２のトランス・コイル数、およびグループ間電圧バランス補正回路３２と蓄電セル列間の配線数をそれぞれ、さらに大幅に低減させることができる。
【００６０】
以上、本発明をその代表的な実施形態に基づいて説明したが、本発明は上述した以外にも種々の態様が可能である。たとえば、セルグループ（Ｇ１，Ｇ２，・・・）内のセル数は３個あるいは５個以上の任意数が可能である。
【産業上の利用可能性】
【００６１】
直列接続数の多い多直列蓄電セルにおいて、組立てや交換等の作業性を向上させながら、全セルの電圧バランス補正を迅速かつ円滑に行わせることを可能にした多直列蓄電セルを提供することができる。
【図面の簡単な説明】
【００６２】
【図１】本発明による多直列蓄電セルの第１実施形態を示す回路図である。
【図２】図１に示した回路の一部をさらに具体化した回路図である。
【図３】本発明で使用するセル間電圧バランス補正回路の実施形態を示す回路図である。
【図４】本発明で使用するグループ間電圧バランス補正回路の第実施形態を示す回路図である。
【図５】本発明による多直列蓄電セルの第１実施形態を示す回路図である。
【図６】図５に示した回路の一部をさらに具体化した回路図である。
【図７】従来の多直列蓄電セルの第１構成例を示す回路図である。
【図８】従来の多直列蓄電セルの第２構成例を示す回路図である。
【符号の説明】
【００６３】
１００  発電／負荷装置
１１  蓄電セル１１（Ｂ１〜Ｂｎ）
２１，２２  磁心
３１  セル間電圧バランス補正回路
３２  グループ間電圧バランス補正回路
Ｇ１〜Ｇｍ  セルグループ
Ｌｃ，Ｌｃ１，Ｌｃ２  インダクタ
Ｌ１〜Ｌｍ  トランス・コイル
Ｐ１，Ｐ２  多直列蓄電セル１１の直列端
Ｓａ，Ｓｂ，Ｓｃ  スイッチング回路
Ｔ１  トランス
【図１】
2008035680.tif 000003
【図２】
2008035680.tif 000004
【図３】
2008035680.tif 000005
【図４】
2008035680.tif 000006
【図５】
2008035680.tif 000007
【図６】
2008035680.tif 000008
【図７】
2008035680.tif 000009
【図８】
2008035680.tif 000010